(57)【要約】【課題】  冷凍装置を内蔵するショーケースの凝縮器用フィルターから除去した塵埃のフィルターへの再付着を防止するフィルター掃除ユニットを備えたショーケースを提供する。【解決手段】  ショーケース下部の架台内に設けた凝縮器８と、  前記凝縮器８の前面に配置し、左右方向の移動が可能なフィルター１１と、前記フィルター１１が通過する位置に設けた掃除ユニット２０とを備え、前記掃除ユニット２０は、通過する前記フィルター１１に当接する位置に設け、該フィルター１１に付着した塵埃を除去する回転ブラシ２６と、前記回転ブラシ２６に接触する位置に設け、該回転ブラシ２６に付着した塵埃を剥離する除塵部３６を備え前記除塵部３６の先端部３６ａは凹凸形状を有する平板で形成した。【選択図】図４
2014020772.tif 000002
【特許請求の範囲】
【請求項１】
ショーケース下部の架台内に設けた凝縮器と、  前記凝縮器の前面に配置し、左右方向の移動が可能なフィルターと、  前記フィルターが通過する位置に設けた掃除ユニットとを備え、前記掃除ユニットは、  通過する前記フィルターに当接する位置に設け、該フィルターに付着した塵埃を除去する回転ブラシと、前記回転ブラシに接触する位置に設け、該回転ブラシに付着した塵埃を剥離する除塵部を備え、前記除塵部の先端部は凹凸形状を有する平板で形成したことを特徴とすることを特徴とするショーケース。
【請求項２】
前記除塵部の先端の凸は略四角形に形成したことを特徴とする請求項１記載のショーケース。
【請求項３】
前記除塵部の先端の凹部は略円弧状に形成したことを特徴とする請求項１記載のショーケース。
【発明の詳細な説明】
【技術分野】
【０００１】
この発明は、冷凍機内蔵型ショーケースに関し、詳しくは、ショーケースの架台内に内蔵した冷凍機ユニットの凝縮器用フィルターに付着した塵埃を除去する掃除ユニットを備えたショーケースに関するものである。
【背景技術】
【０００２】
従来の冷凍機内蔵型ショーケースは、ショーケースの下部の架台内部に冷凍機（圧縮機、凝縮器、送風機など）が設けられており、凝縮器の前面にはフィルターが着脱可能に設けられ、フィルターの前面には外気取り入れ孔を形成した通気孔カバーが取り付けられている。このようなショーケースではフィルターを掃除する場合、通気孔カバー及びフィルターを取り外す作業が発生する。この取り外し作業の作業性を向上させるために、通気孔カバーにフィルターを保持させるものが提案されている（例えば、特許文献１参照）。
【０００３】
しかし、作業者が定期的にフィルターを取り外して掃除をするものの場合、作業に手間がかかり作業効率が悪かった。そして、フィルターの掃除を忘れてしまい、フィルターが目詰まりした場合には、冷却能力の低下や冷凍機の故障の原因につながるおそれがあった。そこで、吸引手段を設け、フィルターに付着した塵埃を自動的に吸引し、フィルターを取り外すことなくフィルターの掃除を行うものが提案されている。（例えば、特許文献２参照）
【先行技術文献】
【特許文献】
【０００４】
【特許文献１】特開２００４−２４５５６９号公報（請求項１、図１）
【特許文献２】特開２００９−１８０３９９号公報（請求項１、図３）
【発明の概要】
【発明が解決しようとする課題】
【０００５】
上記特許文献２の吸引手段によるフィルター掃除では、フィルターを自動的に掃除することができるが、凝縮器からの湿気などによってフィルターに絡みつくように付着した塵埃に対しては、吸引力だけでは確実に除去することが困難であった。このような塵埃を除去するものとして、回転ブラシなどによって塵埃を掻き取り、回転ブラシに付着した塵埃を剥離させて除去するものが考えられる。
【０００６】
しかし、回転ブラシを使用するものの場合、回転ブラシから剥離した塵埃が回転ブラシ又はフィルターへ再付着するおそれがある。この再付着を防止するためには回転ブラシの固定具を回転ブラシから離し、塵埃がスムーズに回転ブラシから離れる様にすればよいが、ショーケースの場合、このようなスペースをフィルターの手前に設けると架台が外方に拡大することになる。
【０００７】
架台が外方に拡大すると、使用者がショーケースに近づいたときに足のつま先をぶつけやすくなり安全性が低下するおそれがあり、また設置面積も大きくなるため望ましくない。このように、ショーケースでは安全性などを考慮すると、架台を外方に拡大させて塵埃を収容する十分なスペースを設けることができないため、除去した塵埃のブラシ又はフィルターへの再付着を防止することが困難であった。
【０００８】
本発明は、上記のような課題を解決するためになされたもので、フィルターの表面に付着した塵埃だけでなく、湿気などによってフィルターに絡みつくように付着した塵埃も確実に除去すると共に、限られたスペースにて、フィルターから除去した塵埃のフィルターへの再付着を防止する自動フィルター掃除ユニットを備えたショーケースを提供することを目的とする。
【課題を解決するための手段】
【０００９】
本発明に係るショーケースは、ショーケース下部の架台内に設けた凝縮器と、
前記凝縮器の前面に配置し、左右方向の移動が可能なフィルターと、前記フィルターが通過する位置に設けた掃除ユニットとを備え、前記掃除ユニットは、通過する前記フィルターに当接する位置に設け、該フィルターに付着した塵埃を除去する回転ブラシと、前記回転ブラシに接触する位置に設け、該回転ブラシに付着した塵埃を剥離する除塵部を備え前記除塵部の先端部は凹凸形状を有する平板で形成した
【発明の効果】
【００１０】
本発明によれば、回転ブラシによってフィルターに付着した塵埃を確実に除去すると共に、回転ブラシに付着した塵埃を剥離するため除塵部の先端を櫛歯状に凹凸を形成したことで、凸部が板ばねのような弾性力を得て回転ブラシ２６の表面に追従し易くなり、回転ブラシ面を押し付ける力も増大することで、埃を効率よく剥離することができるものである。
【００１１】
また、回転ブラシの固定具は塵埃が堆積する箇所を大きく切り欠かれ、堆積した塵埃の落下の妨げにならないようになっている。
また、自重で落下しなかった塵埃は清掃動作の復路時に回転ブラシの回転方向に合せフィルター側に移動する。フィルター側に移動した塵埃はフィルターと接触するが、回転ブラシと除塵部の間に堆積している際に回転ブラシの回転により丸まっている為吸着力が低下し、フィルターへ再付着せず、フィルターに接触した際落下する。
【図面の簡単な説明】
【００１２】
【図１】本発明の実施の形態１に係るショーケースの斜視図である。
【図２】図１に示すショーケースの架台の正面図である。
【図３】本発明の実施の形態１に係る掃除ユニットの本体部の斜視図及び展開図である。
【図４】本発明の実施の形態１に係る掃除ユニットのブラシカバーを裏面側から見た斜視図である。
【図５】図５は実施の形態１に係る掃除ユニットの本体部の断面図である。
【発明を実施するための形態】
【００１３】
実施の形態１．
以下、本発明の実施の形態を図面に基づいて詳細に説明する。図１は実施の形態１に係るショーケースの斜視図である。図２は図１に示すショーケースの架台の正面図である。
【００１４】
図１に示すように、実施の形態１のショーケース１００は、上面を開口した箱型形状のケーシング１と、ケーシング１の下部に設けられ、ケーシング内に供給する冷気を生成する冷媒回路などを収容した架台２とで構成されている。ケーシング１は、食品などを陳列する陳列棚３と、冷媒回路で生成された冷気が吹き出される吹出口４と、吹出口４から吹き出された冷気が陳列棚３上方を通過後に吸い込まれる吸込口５と、陳列棚３を照らす蛍光灯６とを備えている。なお、吸込口５から吸い込まれた冷気は冷媒回路に戻され、再び吹出口４から吹き出される。
【００１５】
架台２の前面には着脱可能な点検蓋７が取り付けられており、架台２内には冷媒回路を構成する圧縮機（図示せず）、凝縮器８、蒸発器（図示せず）と、冷媒回路や蛍光灯などの制御を行う基板を収容した電装ボックス９とが配置されている。なお、図１は点検蓋７を前方に取り外した状態を示しており、取り付けた状態において点検蓋７の凝縮器８に対向する箇所には、凝縮器８へ外気を供給するための複数の吸気口１０が形成されている。また、凝縮器８の後方には吸気口１０を介して外気を凝縮機８に供給する送風機（図示せず）が配置されている。
【００１６】
凝縮器８の前面、即ち点検蓋７の吸気口１０と凝縮器８の間には、凝縮器８に供給される外気に含まれる塵埃を捕集するフィルター１１が設けられている。フィルター１１は着脱可能に取り付けられていると共に、左右方向にスライド移動可能に設けられている。そして、架台２内におけるフィルター１１の側方にはフィルター１１に付着した塵埃を自動的に除去する掃除ユニット２０が設けられている。架台２の後部には、電装ボックス９及び掃除ユニット２０へ商用電源を供給する電源コード１２が設けられている。
【００１７】
図２に示すように、掃除ユニット２０は、フィルター１１の側方に配置され、フィルター１１を左右方向に移動させると共に、フィルター１１に付着した塵埃の除去を行う本体部２１と、本体部２１で除去された塵埃を本体部２１から吸引する吸引部２２と、本体部２１及び吸引部２２の駆動を制御する制御部２３とを備えている。本体部２１と吸引部２２とは中空の吸引管２４で接続されており、本体部２１で除去された塵埃は吸引管２４内を通り吸引部２２へと移動する。
【００１８】
フィルター１１は、凝縮器８の前面を覆う大きさに形成され、通過する空気中の塵埃を捕集する網状のネット部１１ａと、ネット部１１ａの外周に一体に設けられ、ネット部１１ａを平面状に保持する枠部１１ｂとで構成されている。架台２の底部には、フィルター１１が左右方向に移動するときにガイドとなる溝部を有する断面略コの字状のレール１３が設けられている。フィルター１１は、レール１３の溝部に下端の枠部１１ｂを収納させて取り付けられ、左右方向に移動するときにはレール１３の溝部内壁に沿って移動する。また、フィルター１１の下端の枠部１１ｂには長手方向に沿ってラックギアが取り付けられている。
【００１９】
掃除ユニット２０の本体部２１は、フィルター１１の上下方向に対して略平行に延在し、フィルター１１に付着した塵埃を除去する回転ブラシ２６と、回転ブラシ２６を回転駆動させるモータ２５と、フィルター１１の枠部１１ｂに取り付けられたラックギアと噛み合うラック歯車２７と、ラック歯車２７を回転駆動させるモータ２８とを備えている。モータ２５、２８は制御部２３によって駆動を制御される。
【００２０】
図３は実施の形態１に係る掃除ユニットの本体部の斜視図及び展開図である。図３に示すように、掃除ユニット２０の本体部２１は、回転ブラシ２６の前方に設けられ、堆積した塵埃の落下の妨げにならない様に前面を大きく切り欠かれたブラシカバー３０と、モータ２５の回転を回転ブラシ２６に伝達するギア３３が内設されたギアボックス３１と、回転ブラシ２６の後方に設けられ、モータ２５、２８を覆うモータカバー３２とで構成されている。ブラシカバー３０及びモータカバー３２は、それぞれギアボックス３１にネジで固定されている。
【００２１】
回転ブラシ２６は、略円柱形状の回転軸を有し、回転軸の端部２６ａ、２６ｂを除く表面にはブラシ毛が複数本植毛されている。フィルター１１は、図３に矢印Ａで示すように、回転ブラシ２６とモータカバー３２の間を通過し、回転ブラシ２６は通過するフィルター１１にブラシ毛の先端部３６ａが当接する位置に取り付けられている。このような位置関係で回転ブラシ２６を設けることで、通過するフィルター１１に付着した塵埃をブラシ毛で掻き取り、掻き取った塵埃をブラシ毛間に捕集することができる。
【００２２】
ブラシカバー３０は、回転ブラシ２６を覆うように両側端部を回転ブラシ２６側へ略直角に折り曲げた断面コの字形状をしており、回転ブラシ２６への外部からの塵埃の付着を防止するためのものである。ブラシカバー３０の正面側の面には大きなきりかきが形成されており、除塵部３６と回転ブラシ２６の間に堆積した塵埃の落下を容易にしている。
また、ブラシカバー３０には、回転ブラシ２６の回転軸の下端部２６ａが挿入され、回転ブラシ２６を支持する軸受部３５が設けられている。
【００２３】
ギアボックス３１は、ギア３３とモータ２５とが取り付けられたギアボックス下３１ａと、ギアボックス下３１ａの上面に取り付けられ、ギア３３を覆うギアボックス上３１ｂとを備える。ギア３３の中心部には下方に延在するギアシャフト（図示せず）が設けられており、ギアシャフトの先端部は回転ブラシ２６の回転軸の上端部２６ｂに形成された孔に挿入される。これにより、モータ２５の回転がギア３３及びギアシャフトを介して回転ブラシ２６へと伝達される。
【００２４】
モータカバー３２は、ラック歯車２７とモータ２８とが取り付けられたモータカバー下３２ａと、モータカバー下３２ａが内側に取り付けられる断面略コの字形状のモータカバー前３２ｂと、モータカバー前３２ｂの後方側にモータ２８を覆うように取り付けられるモータカバー後３２ｃとを備える。モータカバー３２の上部にギアボックス３１が取り付けられると、ギアボックス３１に取り付けられたモータ２５がモータカバー３２内に収まるようになっている。
【００２５】
なお、ブラシカバー３０及びモータカバー３２の回転ブラシ２６対向面は、互いに略平行で且つ、回転ブラシ２６の回転軸の軸方向に対しても略平行となっている。このようにすることで、回転ブラシ２６の周りのスペース、特に前後方向のスペースを最小限にすることができ、本体部２１を小型にすることができる。
【００２６】
また先端部３６ａが回転ブラシ２６に接触する位置に設けられ、回転ブラシ２６に付着した塵埃が剥離しやすい除塵部３６と、剥離した塵埃を小スーペースで効率よく落とす構造の回転ブラシの取付板を備える。
【００２７】
図５は実施の形態１に係る掃除ユニットによる塵埃除去の様子を表す断面図である。なお、図５中に示す矢印Ｂはフィルター１１の移動方向、矢印Ｃは回転ブラシ２６の回転方向を表している。また、図５ではモータカバー３２を省略しているが、フィルター１１が掃除ユニット２０の本体部２１（回転ブラシ２６とモータカバー３２の間）を通過する様子を表している。
【００２８】
図５に示すように、回転ブラシ２６は、フィルター１１との接触部分においてフィルター１１の移動方向（矢印Ｂ）と逆方向となる回転方向（矢印Ｃ）に回転駆動される。これにより、塵埃の移動に逆らってブラシ毛が塵埃に接触するので、フィルター１１から塵埃を掻き取るようにして除去することができる。フィルター１１から掻き取られた塵埃は回転ブラシ２６のブラシ毛間に捕集される。
【００２９】
回転ブラシ２６のブラシ毛間に捕集された塵埃は、ブラシ毛が除塵部３６の先端部３６ａを撫でるようにして通過することで、除塵部３６の先端部３６ａによって回転ブラシ２６から剥離される。ここで、除塵部３６の先端部３６ａを櫛歯状の凹凸を、例えば凸部は略四角形に、凹部を円弧状に形成した場合、ブラシ毛の先端に付着した塵埃だけでなく、ブラシ毛間に埋もれた塵埃も凸部先端が板ばねのような弾性力を得て、回転ブラシ２６の表面に追従し易くなり、さらに円弧状の切欠きによる凹部は、回転ブラシ２６と先端部の接触部を増すことができるので、さらに確実に塵埃を剥離させることができる構造となる。
【符号の説明】
【００３０】
１  ケーシング、２  架台、３  陳列棚、４  吹出口、５  吸込口、６  蛍光灯、７  点検蓋、８  凝縮器、９  電装ボックス、１０  吸気口、１１  フィルター、１２  電源コード、１３  レール、
２０  掃除ユニット、２１  本体部、２２  吸引部、２３  制御部、２４  吸引管、２５  モータ、２６  回転ブラシ、２７  ラック歯車、２８  モータ
３０  ブラシカバー、３１  ギアボックス、３２  モータカバー、３３  ギア、３４  スリット、３５  軸受部、３６  除塵部  ３６ａ先端部
１００  ショーケース。
【図１】
2014020772.tif 000003
【図２】
2014020772.tif 000004
【図３】
2014020772.tif 000005
【図４】
2014020772.tif 000006
【図５】
2014020772.tif 000007